(57)【特許請求の範囲】
【請求項１】
手首を通せる開口部があり、２つの端部が繋がっていない輪となるように湾曲された剛性構造体（２）を備え、前記剛性構造体（２）は、装飾用開口（１４）を有する携帯用装飾具であって、使用時にその背面に前記装飾用開口を介して見ることができ、かつ弾性的に湾曲可能なプレート形状のライニング（４）を備え、
前記背面は、前記剛性構造体（２）の各端部の近傍に位置し、前記ライニング（４）を所定位置に固定でき、前記ライニング（４）の長手方向及び横方向に前記ライニングを押圧して前記ライニング（４）に応力を印加し、前記ライニング（４）が湾曲したときに前記ライニング（４）を外側に押圧する圧力を生じさせ、前記ライニング（４）を前記剛性構造体（２）の前記背面上に強制的に接触させることが可能な可逆的取付け手段（１０、１２、１５）を備えることを特徴とする、装飾具。
【請求項２】
前記剛性構造体（２）は、装飾用開口（１４）を有する切り抜き金属プレートで作られている、請求項１に記載の装飾具。
【請求項３】
前記背面は、前記ライニング（４）の縁部に圧力をかける取付け手段を形成する横タブ（１２、１５）を備えることを特徴とする、請求項１に記載の装飾具。
【請求項４】
前記横タブ（１２、１５）は、前記剛性構造体（２）の金属プレートの端部を湾曲させることによって形成されることを特徴とする、請求項３に記載の装飾具。
【請求項５】
前記ライニング（４）を前記剛性構造体（２）の前記背面へ押し付ける鋲（１０）を備えることを特徴とする、請求項１に記載の装飾具。
【請求項６】
前記鋲（１０）は、前記剛性構造体（２）の背面上にある距離をおいて固定された近似的に球形のヘッド（２０）を備え、前記ヘッドの下の前記ライニング（４）の厚さを介して圧縮が作用するようなっていることを特徴とする、請求項５に記載の装飾具。
【請求項７】
前記剛性構造体（２）の前記背面の等高線に沿った、２つの取付け手段（１０、１２、１５）の間の横方向距離（Ｄ１）が、前記ライニング（４）の対応する距離（Ｄ２）より小さく、前記取付け手段によって前記ライニングに横方向の圧力を印加し、かつ前記剛性構造体の前記背面に強制接触させるようになっていることを特徴とする、請求項１〜６のいずれか１項に記載の装飾具。
【請求項８】
前記剛性構造体（２）の内面上で、金属プレート細片の各端部の近くの２つの鋲（１０）と、前記ライニング（４）の縁部への支持体を形成する、前記金属プレート細片の両側部の横タブ（１２）とを備えることを特徴とする、請求項１に記載の装飾具。
【請求項９】
前記剛性構造体（２）の背面上で、前記剛性構造体（２）の各端部（８）の近くの２つの末端タブ（１５）と、前記ライニング（４）の縁部への支持体を形成する、この細片の両側部の横タブ（１２）とを備えることを特徴とする、請求項１〜８のいずれか１項に記載の装飾具。
【請求項１０】
前記剛性構造体（２）は、取付け手段を構成する折畳み縁部（４２）を備える円盤を形成することを特徴とする、請求項１〜９のいずれか１項に記載の装飾具。
【請求項１１】
前記ライニング（４）は２つの皮革面を備えることを特徴とする、請求項１〜１０のいずれか１項に記載の装飾具。
【請求項１２】
前記ライニング（４）は、前記剛性構造体に対して交替して対向することを意図した、異なる色を有する２つの面を備えることを特徴とする、請求項１〜１１のいずれか１項に記載の装飾具。
【請求項１３】
請求項１〜請求項１２のいずれか一項に記載の装飾具の可逆的取付け手段と協働するように設計された装飾ライニング（４、４ａ）であって、前記可逆的取付け手段（１０、１２、１５）と協働する手段（１６〜１６ａ）を備えることを特徴とする、装飾ライニング。
【請求項１４】
請求項１３に記載の複数の異なる装飾ライニング（４）を備え、そのそれぞれが前記可逆的取付け手段（１０、１２、１５）と協働する手段（１６〜１６ａ）を備える、請求項１〜請求項１２のいずれか一項に記載の装飾具のための装飾キット。
【発明の詳細な説明】
【技術分野】
【０００１】
本発明は、外観の異なり得る、及び／又は異なる材料で製造され得る複数の部品を組合せた装飾用ファッション宝飾品に関する。
【背景技術】
【０００２】
最新の金属プレート切断方法を用いると、スチール、真鍮、銅、アルミニウム、銀、金などの金属から、様々な微細な切り抜き、具体的には異なる形状の開口を作製して、宝飾品あるいはファッションアクセサリを作製することが可能である。
【０００３】
少しだけ柔軟なライニングを切抜かれた金属プレートの内面に永続的に固定して、美的な装飾効果を出すために、この金属プレートの開口を介して異なる外観および異なる色彩が見えるようすることができることが知られている。
【０００４】
好ましくは、高品質の天然又は合成の繊維又は皮革などの高価な材料がこの内側ライニングに使用される。そうして硬質の金属プレートが、装飾具の全体形状と光沢、梨地又はつや消しである耐摩耗性外観を制御し、内側ライニングが、性質、外観及び色において金属とのコントラストを与えるより柔軟かつ暖かい素材を形成する。
【０００５】
こうして、剛性構造体を形成する切り抜き金属シートを備える、ブレスレット、ブローチ、耳飾り、及びオープンカラーネックレスが、その機能に応じて特定の曲線形状に作製可能である。例えば、適切な方法で手首を通すことができる開口部を有する曲げた金属細片から、ブレスレットを成形可能である。
【０００６】
追加的な部品、例えばペンダント用の首の周りのコードやチェーン、あるいはブローチを衣服に固定するためのピンなどを、具体的には取付けまたは着用を容易にするためにライニングに付けることが可能である。
【０００７】
皮膚に直接接触するブレスレットなどの宝飾品に関しては、内側ライニングをより柔軟にすれば、それだけ肌触りも快適となる。
【発明の概要】
【発明が解決しようとする課題】
【０００８】
ただしこの種の装飾具には１つ問題があり、良好な支持を確保し、かつ金属プレートの下へ押し付けて接触させるために、内部ライニングを違う手段で金属プレートに永続的に固定した場合にはこのライニングを素早く簡単に交換することができない。
【０００９】
さらに、ライニングを外すためには、特にクランプねじやリベットを外すためには、通常特別なツールの使用を必要とし、部品の一部を損傷する可能性がある。装飾機能を失わずに、完璧な外観と仕上げを保持しようとすれば、この分解と再組立の操作は手間ひまのかかるものとなる。
【００１０】
そうすると、ファッションアクセサリがますますカスタム化の方向に向かう傾向にあるのに対し、例えば、着る洋服、予定の活動の種類に適合させるため、あるいは同じ装飾の繰り返し着用回避のための頻繁な更新の必要性のために、同一の宝石又は装飾具を、ライニング又は装飾金属プレートの交換によって素早く変化させる、ということが不可能である。
【課題を解決するための手段】
【００１１】
本発明の目的は具体的には、従来技術のこのような欠点を回避し、宝石などの剛性構造体の装飾具の下に装飾ライニングの可逆的取付けを可能とすることである。
【００１２】
可逆的取付けとは、取付けと取外しをツールなしの手動で行える取付けのことである。それとは逆に、永続的取付けとは、取付け及び取外しにツールを必要とする取付け（折り曲げ、ネジ止め、接着など）のことである。したがって、手動の可逆的取付けをするための取付け手段を、本明細書の目的に対する「可逆的取付け手段」とする。
【００１３】
これを達成するために本発明では、装飾用開口を有する剛性構造体を備え、使用時にその背面に、開口を介して見ることができ、かつ弾性的に湾曲可能なプレート状のライニングを備える携帯用装飾具を開示する。この装飾具は、背面にライニングを固定し、このライニングをクランプして構造体の背面に強制的に押し付け接触させることが可能な、可逆的取付け手段を備えることが特徴である。
【００１４】
この装飾具の１つの利点は、プレートの横方向にライニングを押し付ける取付け手段がこのライニングに応力を印加し、遊びなしで、したがって摩耗なしでライニングを構造体内に保持し、ライニングが湾曲されると、プレートを外方向に押そうとする圧力を発生させて、ライニングを背面に強制的に接触させて所要の美的効果を上げることである。
【００１５】
これらの条件に合わない取付け手段は、例えば、ライニングをその中で滑らせて位置決めする必要がある、Ｕ字形のガイドである。実際に、滑らせるとライニングは摩耗し、滑るためにはガイドがライニングの高さより大きくなければならないので、構造体の背面にクランプすることができない。高さがそれより高くないとしても、複数回の挿入／取り出しができないので、固定は可逆的とはならない。
【００１６】
「横方向の」という形容詞は、応力がライニングの縁部を通して印加されることを意味する。
【００１７】
ライニングは、取り出して別のライニングに交換するために、ツールを用いずかつ部品に損傷を与えずに、簡単かつ素早く取り外すことが可能である。このライニングは、別の金属構造体に対しても使用可能である。
【００１８】
本発明による携帯用装飾具はまた、相互に組合せることも可能な以下の１つ又は複数の特徴を有してもよい。
【００１９】
剛性構造体は、装飾用開口を有する切り抜き金属プレートであってよい。
【００２０】
一実施形態によれば、背面には、ライニングの縁部を支持する取付け手段を構成する横タブが備えられている。この場合、横タブは構造体の金属プレートの端部を湾曲させて形成されるのが有利である。これらの横タブは作製が容易である。
【００２１】
本明細書の目的のためには、「横タブ」は剛性構造体の縁部に配置されることを意味している。これらのタブは分離されていてもよいし、あるいは連続する端部を形成していてもよい。その場合には支持枠を形成する。横タブは、剛性構造体の両側部と両端のいずれに配置されてもよい。
【００２２】
別の代替実施形態又は相補的な実施形態によれば、装飾具はライニングを構造体の背面に押し付ける鋲を備える。複数の鋲はライニングを異なる方向へ向けて保持する。
【００２３】
この場合、鋲は有利にはほぼ球形のヘッドを備え、それが構造体の背面上に、このヘッドの下のライニングの厚さを介して圧縮が作用するようなある距離で固定されている。
【００２４】
この圧縮力が、ライニングを構造体の背面に強制的に接触させる。
【００２５】
有利なことに、２つの取付け手段間の、この構造体の背面の等高線に沿う横方向距離は、ライニングの対応する同じ距離よりも小さく、これらの取付け手段によって横方向の圧力が印加されるようになっている。
【００２６】
具体的に、装飾具は、手首を通すことのできる開口を持った、ほぼ円形に構成された湾曲プレートの細片を備えるブレスレットを形成し得る。
【００２７】
このブレスレットは有利には、構造体の背面上で、金属プレート細片の各端部の近くに配置された２つの鋲と、ライニングの縁部への支持体を形成するこの細片の両側部の横タブとを備える。この結果、素早く取り外すことが可能でありながら、ライニングがあらゆる方向にしっかりと保持される。
【００２８】
これに替わって、このブレスレットは、構造体の背面上で、剛性構造体の各端部の近く又は各端部に位置する「末端」タブと称される２つの横タブと、ライニング縁部への支持体を形成するこの構造体の両側部の横タブとを備えることも可能である。
【００２９】
横方向末端タブは有利には爪構造を含み、この爪の下のライニングの全厚さにわたって圧縮状態が保持されるようになっていてもよい。
【００３０】
具体的には、構造体が取付け手段を形成する折畳み縁部を備える円盤を形成することができる。
【００３１】
具体的にはライニングが２つの皮革の面を含むことができる。皮革面は、良好な耐久性と、皮膚への快適な接触とを有する材料を構成する。
【００３２】
有利には、ライニングは色の異なる２つの面を有し、構造体に対して反転して交互に面するように設計されている。こうして、１つのライニングを購入することで２つの異なる外観を有する装飾具を、迅速に取得可能である。
【００３３】
本発明の別の目的は、本発明による装飾具の可逆的取付け手段と協働するように設計された装飾用ライニングであり、これは可逆的取付け手段と協働する手段を備えることを特徴とする。
【００３４】
本発明の別の目的は、それぞれが可逆的取付け手段に対して協働する手段を持った複数の前述の装飾ライニングを備える、本発明による装飾具のための装飾キットである。
【００３５】
添付の図面を参照して例として与えられる以下の説明を読むことで、本発明がよりよく理解され、かつ他の特性及び利点がより明確となるであろう。
【図面の簡単な説明】
【００３６】
【図１】本発明による装飾具を構成するブレスレットの図である。
【図２】相互に取外した状態の、このブレスレットの金属プレートの図である。
【図３】相互に取外した状態の、このブレスレットの皮革ライニングの図である。
【図４】ライニングが鋲のヘッドに固定される様子を示す断面図である。
【図５】本ライニング用の横固定タブの断面図である。
【図６ａ】本ブレスレットの組立を示す図である。
【図６ｂ】本ブレスレットの組立を示す図である。
【図６ｃ】本ブレスレットの組立を示す図である。
【図７】本発明によるリングの一変形を示す図である。
【図８】本発明によるリングの別の一変形を示す図である。
【図９ａ】本発明によるオープンカラーネックレスの概略図である。
【図９ｂ】本発明によるオープンカラーネックレスの詳細図である。
【図１０ａ】本発明による耳飾りの正面図である。
【図１０ｂ】本発明による耳飾りの側面図である。
【図１１】本発明の図１のブレスレットの代替物の図である。
【図１２】本発明の図１のブレスレットの皮革ライニングの代替物の図である。
【発明を実施するための形態】
【００３７】
図１は、金属プレートの切断細片で形成された剛性構造体２を備えるブレスレットであり、手首を通せる開口部のある輪となるように湾曲されている。
【００３８】
他の材料、例えば木や剛性ポリマーなども剛性構造体の作製に使用可能である。
【００３９】
開口部１４は、切断、研削、又は部品間に開放空間を残す様な、部品の端から端までの連続取付け以外の手段によって製造され得る。例えば、部品を相互に溶接して、本発明に従う開口部を有する剛性構造体を取得することができる。
【００４０】
金属構造体２の内側にその背面で接触する皮革のライニング４は、四角形をしており、長辺６が金属プレートの縁部に合わせられ、短辺８がこの金属プレートから僅かに後退している。
【００４１】
ライニング４は弾性的に湾曲可能なプレート形状をしており、この細片の中心線上の細片端部近くにそれぞれ配置された２つの鋲１０と、この構造体の長辺の中央部にそれぞれ配置された２つの横タブ１２とによって構造体の内側に固定可能である。
【００４２】
これに替わって図１１に示すように、このブレスレットは、構造体の背面上で金属プレート細片の各端部８の近く又は各端部に位置する「末端」タブと称される２つの横タブと、ライニングの両方の縁部への支持体を形成するこの細片の両辺６上の横タブとを備えることも可能である。横方向末端タブ１５は有利には爪構造を含み、このライニングの下の全厚さにわたってライニングが圧縮状態に保持されるようになっていてもよい。
【００４３】
この実施形態に適合するライニングの例を図１２に示す。装飾ライニング４ａは、構造体の可逆的取付け手段１５と協働する手段１６ａを備える。この例では、協働手段は切欠き１６ａである。横タブ１５がこれらの切欠き１６ａに係合することができ、剛性構造体に対してライニングを横方向にブロックしてライニングを湾曲させるような圧力を印加し、かつ金属構造体に向けて押し付けて、背面で接触させて所要の美的効果を与えるようになっている。こうするために、切欠き１６ａの端部同士の間の距離Ｄ２は、剛性構造体２の背面に沿った横タブ１５同士の間の対応する距離よりもわずかに大きい。
【００４４】
より一般的には、取付け手段（鋲１０と横タブ１２、又は横方向末端タブ１５と横タブ１２）が、プレートの横方向、すなわち、鋲同士をむすぶ中心線に沿う長手方向、及び剛性構造体の縁部にある横タブ同士を結ぶ中心線に沿う横方向、に沿ってライニングを押し縮める。これによりライニングに応力がかかって、遊びなしで、したがって摩耗なしで構造体との接触が保持され、ライニングを湾曲させて金属構造体に押し付けようとする圧力を生成し、背面で強制接触させて所要の美的効果を与える。
【００４５】
この構造体２の金属プレートの厚さは、約１〜２ｍｍであり、皮革ライニング４の厚さは最大約４ｍｍであってよい。湾曲後に元の形状に戻ることができるように弾力性と形状記憶を有する、少し柔軟な皮革が選択される。必要であれば、皮革の積層体を例えば約１／１０ｍｍ厚さの可撓性中心コアとともに組み立てて、ライニングを半剛性にすることも可能である。
【００４６】
図２は、スチール又は真鍮などの金属細片から切り出し、全表面積の半分超を占めることができる、幾何学的輪郭を有し全面にわたって整列した開口１４を備える、構造体２の金属プレートを示す。得られた結果は、シンプルではっきりしたパターンであって、ある種の金属のレースを構成するモチーフを強調する。例えば書込みを形成するような、他のタイプの切込みも使用可能である。
【００４７】
構造体２の切込みは、金属プレート面への型押し又は彫刻と組合せて、書込みのような他の装飾効果を作ることも可能である。構造体２の表面は、機械的強度並びに酸化と化学薬品に対する耐性が良好で摩耗及び劣化なしで外観を保持できる金属又は被覆を備えた、研磨、梨地又はつや消しであってよい。具体的には、金、銀、ルテニウム、パラジウム、又はロジウム被覆を適用可能である。
【００４８】
図３は、ほぼ四角形で角が丸められた細片をなし、この細片の主軸沿いの各端部近くに穴１６を備える、皮革ライニング４を示す。一変形例として、ブレスレットは異なる数、例えば１又は３の鋲１０を有してもよい。必ずしも鋲はなくてもよく、ライニング４が横タブ１２及び／又は１５のみで保持されてもよい。ライニングをまっすぐにしようとする弾性効果によって、ライニングは湾曲した構造体２の内側に強制的に接触させられる。
【００４９】
図４は金属プレート上に垂直に溶接された短いロッド２２によって構造体２の金属プレートへ固定されたほぼ球形のヘッド２０を有する鋲１０を示す。薄いライニング４に関しては、ロッドなしの球形ヘッド２０だけを、構造体２の金属プレートに直接固定することができる。ライニング４の穴１６の直径は、ヘッド２０の直径よりも僅かに小さい。
【００５０】
ライニング４は位置Ａに示すようにヘッド２０の上方に穴１６を配置して組み立てられる。次いでこのライニングを構造体２に向かって下に下げて穴の周りの材料を歪ませて広げ、金属プレート上に載ったＢの位置となる。ヘッド２０が球形状であることにより、穴１６への挿入が容易となり、かつ手首の皮膚に対する優しい曲面が形成される。
【００５１】
ヘッド２０の高さは、構造体２の金属プレートにライニングをしっかりと接触させたまま、ヘッドによる永続的な垂直圧力がライニング４に得られるようにする機能として調節可能である。図５は構造体２の横タブ１２を示す。これは９０度折畳まれて、その端部１８はライニング４の最上面よりも少し下になっている。そうしてライニングの上に突き出ないで、手首の皮膚に刺激を与えず、かつ何物にも引っかからないようになっている。
【００５２】
図６ａ、図６ｂ、図６ｃは、ブレスレットの組立方法を示す図である。
【００５３】
図６ａは、最初にライニングを丸めて、下の図６ｂに示す構造体２の直径よりもわずかに小さい直径の湾曲体を形成するライニング４の成形を示す。次にライニング４を矢印３０に沿って軸方向にスライドさせて垂直に下降させ、構造体２の中へ滑り込ませて、この構造体の下にある横タブに接触させて停止する。この時点でライニング４の上端部も、上側の横タブ１２を通過する。ライニング４は次に、２方向の横方向押込みをする、２つの横タブ１２の間で調整される。
【００５４】
次に図６ｃには、このライニングの穴に鋲２０を係合させるために、各鋲１０においてライニング４の内側に係る圧力Ｆが示されている。ライニング４の２つの穴１６の間の距離Ｄ２を、２つのヘッド２０間の構造体の曲率に沿った正味の距離Ｄ１よりも僅かに大きくすることで、このライニングと金属プレートとの間に所与の横方向の圧力がかかって、ライニングを遊びなしで保持する。
【００５５】
一般的に本発明は有利なことに、２つの取付け手段（鋲１０又は横方向末端タブ１５）の間の、構造体２の背面の等高線沿いの横方向距離Ｄ１を、ライニング４上の対応する距離Ｄ２よりも小さくする。この対応する距離はすなわち、ライニング４が固定されて構造体の背面に押し付けられるときに、取付け手段が係合するライニング４上のポイント間の、固定前の距離Ｄ２であり、２つの穴１６（図１３）間の距離Ｄ２、又は２つの横方向末端タブ１５（図１１）の間の距離Ｄ２である。
【００５６】
これは、これらの取付け手段によってライニングに横方向の圧力を印加し、かつ構造体の背面に強制的に接触させるためである。
【００５７】
さらに、ライニング４の僅かな弾性的な形状記憶が、構造体２の内部での距離を維持しようとし、それによってライニングをこの構造体の内側に接触させようとする圧力を強化する。ツールなしで素早くかつ簡単にライニングを取付けることが、長期間維持される効果的な位置決めを保証する。
【００５８】
この結果、宝飾品の全体形状をその剛性により付与され、発色と柔らかさに貢献可能な皮革のライニング４を通し見ることができる開口１４で装飾された、明るく、輝く外観の金属構造体２を有するブレスレットが得られる。特に、宝飾品に豪華な外観を与えるために特別の浮き彫りが選択可能である。２つの異なる手仕事の専門技術を必要とする、切り抜き装飾された金属光沢を有する金属と、皮革のライニング、という２つの異なる技術の組み合わせが、並外れた現代的な美観を与えるコントラストを提供する。
【００５９】
ライニング４は、その両端を引っ張るだけで分解してヘッド２０を穴１６から取り外せる。次に曲線部分を押し付けて横タブ１２から外して、横方向にスライドさせて引き出せるようにする。この分解にはツールを何も必要としないし、どの部分の変形や損傷もないことに注目されたい。
【００６０】
リバーシブルなライニング４の２つの面に２つの異なる色があれば、同一のライニングをある方向、又はもう一方の方向に取り付けて、１つの宝飾品で２つの異なる効果を得ることができるので、有利である。
【００６１】
一変形例としてライニング４は、天然繊維又は合成繊維、若しくはプラスチック材料などの他の材料で作ることも可能である。必要があれば、湾曲を制御し、形状記憶を与えるための何らかの弾性を有するプレートを内部に備えた積層材料が作製される。
【００６２】
ライニング４は、いくつかの場所で構造体の側部からはみ出させて、外から見えるようにして特別の美観を呈するようにすることも可能である。
【００６３】
ライニング４を、例えば金属構造体である剛性構造体２とは別に販売して、低価格で外観と色の選択肢を大幅に増やすようにすることもできる。ライニング４を取外して、金属構造体２を単独で着用することも可能であり、それが追加の変形例を与える。このことは有利には、複数の美観の異なるライニングを備え、そのそれぞれが可逆的な取付け手段（鋲１０及び／又は横タブ１２及び／又は横タブ１５）に協働する手段（穴１６又は切欠き１６ａ）を備えた、各剛性構造体（ブレスレット、ペンダント、指輪など）に適合された装飾キットの形態で行うことも可能である。
【００６４】
図７は、指に合うように小さな直径で巻かれた金属プレート構造体２を備える指輪であり、装飾を形成するための開口１４が作られている。金属プレートを型押し、化学切断又は彫刻することで形成された何列もの小さいブッシング４８が装飾を仕上げる。特に、正確なマークを経済的に形成するにはエッチングを利用できる。
【００６５】
細片となったライニング４を、弾性変形で巻いた後に指輪の構造体２の中へ挿入する。ライニング４に対向して、型押し、化学切断又は彫刻でこのライニングの全面にわたって形成された、構造体２の内面の空洞が、保持ケージを形成して加圧及び固定を行い、ライニングを定位置に保持する。
【００６６】
図８は、指の周囲に合うようにデザインされた平リング４０からなる装飾指輪であって、その上に、中央部に複数列の開口１４があり、その周りにリングに向かって連続的に湾曲した円形の縁のある円形の金属構造体２が溶接されている。ライニング４は皮革の円盤で構成され、それが金属プレートの構造体２の下のケージ内へクリック嵌合して挿入される。装飾指輪４０の一部を構成する平リングがライニングをそのハウジングに保持して、構造体２の金属プレートの下へ強制的に接触させる。
【００６７】
図９ａ、図９ｂは、クロワッサン型をした僅かに凸型の金属構造体２を備えるオープンカラーネックレスを示す。そのテーパの付いた両端が強い圧力をかけて円形の内部輪郭を構成しており、人の首に快適に収まる通路４６を形成する。
【００６８】
構造体２は、金属プレートの型押し又はエッチングにより作製されて装飾要素を付加する複数列の開口１４と、これらの開口の間の複数列の小寸法のブッシング４８とを備える。このように結果として、単一片の切断金属シートで作られたこの種の宝飾品としては十分に剛性のある、大きな金属構造体２となる。
【００６９】
ライニングを構造体２の金属プレートに強制的に接触させてそこに保持する３つの鋲によって、ライニング４は金属プレート構造体２の背面に押し付けられて接触する。図１０ａ、図１０ｂは、チェーン５０で取付けピン５２に接続された平坦金属プレート構造体２から成るイヤーペンダントを示す。
【００７０】
複数列の開口１４を備える構造体２が背面の周囲にタブ１２を備え、これがライニング４をクリック嵌合によって横方向にクランプしてこの構造体の背面に接触保持するポイントを形成する。
【図１】
0006602963.tif 000002
【図２】
0006602963.tif 000003
【図３】
0006602963.tif 000004
【図４】
0006602963.tif 000005
【図５】
0006602963.tif 000006
【図６ａ−６ｃ】
0006602963.tif 000007
【図７】
0006602963.tif 000008
【図８】
0006602963.tif 000009
【図９ａ】
0006602963.tif 000010
【図９ｂ】
0006602963.tif 000011
【図１０ａ】
0006602963.tif 000012
【図１０ｂ】
0006602963.tif 000013
【図１１】
0006602963.tif 000014
【図１２】
0006602963.tif 000015